(57)【要約】  【課題】  伸縮可能なヒンジが上下方向に離間して複数配置され、該複数のヒンジ２０、２２の前後に化粧被覆材３８を配置することによってアコーディオンドア本体１４が形成されるアコーディオンドアにおいて、簡単に化粧被覆材を取り付けることができるようにする。  【解決手段】  化粧被覆材３８の裏面には上下方向に離間して複数のテープ部材４０、４２が設けられ、上段ヒンジ２０には上段フック５０ａが設けられ、下段ヒンジ２２にはバネ５４の一端が回動可能に枢着され、バネ５４の自由他端に下段フック５６が取り付けられており、上段フック５０ａ及び下段フック５６は、それぞれ対応するテープ部材４０、４２に着脱可能に係止可能となっている。下段フック５６は、バネ５４によって下段ヒンジ２２に対して、その方向及び長さにおいて自由度があり、化粧被覆材３８に接近してテープ部材４２に係止することができる。【選択図】  図３
2004278291.tif 000002
【特許請求の範囲】
【請求項１】
伸縮可能なヒンジ（２０、２２）が上下方向に離間して複数配置され、該ヒンジ（２０、２２）の前後に化粧被覆材（３８）を配置することによってアコーディオンドア本体（１４）が形成され、アコーディオンドア本体（１４）が開閉自在となったアコーディオンドアにおいて、
化粧被覆材（３８）の裏面には上下方向に離間して複数のテープ部材（４０、４２）が設けられ、最上段のヒンジ（２０）には上段フック（５０ａ）が設けられ、最下段のヒンジ（２２）には弾性部材（５４）の一端が回動可能に枢着され、該弾性部材（５４）の自由他端に下段フック（５６）が取り付けられており、上段フック（５０ａ）及び下段フック（５６）は、それぞれ対応するテープ部材（４０、４２）に着脱可能に係止可能であることを特徴とするアコーディオンドア。
【請求項２】
伸縮可能なヒンジ（２０、２２）が上下方向に離間して複数配置され、該ヒンジ（２０、２２）の前後に化粧被覆材（３８）を配置することによってアコーディオンドア本体（１４）が形成され、アコーディオンドア本体（１４）が開閉自在となったアコーディオンドアにおいて、
化粧被覆材（３８）の裏面には上下方向に離間して少なくとも３段のテープ部材（４０、４１、４２）が設けられ、最上段または最下段のヒンジ（２０、２２）にはフック（５０ａ、５６）が設けられて、それぞれ対応するテープ部材（４０、４２）に着脱可能に係止可能であると共に、前後の化粧被覆材（３８、３８）の上下方向中間にあるテープ部材（４１、４１）同士は、ヒンジを介さずにフック（５８）により互いに着脱可能に連結されることを特徴とするアコーディオンドア。
【請求項３】
伸縮可能なヒンジ（２０、２２）が上下方向に離間して複数配置され、該ヒンジ（２０、２２）の前後に化粧被覆材（３８）を配置することによってアコーディオンドア本体（１４）が形成され、アコーディオンドア本体（１４）が開閉自在となったアコーディオンドアにおいて、
前後の化粧被覆材（３８）の裏面には上下方向に離間して複数段のテープ部材（４０、４１、４２）がそれぞれ対向して設けられ、該上下方向に離間した複数段のテープ部材のうち、少なくとも１つの段の対向するテープ部材（４１、４２）同士が、ヒンジを介さずに連結具（５８、５９）により互いに着脱可能に連結されることを特徴とするアコーディオンドア。
【請求項４】
伸縮可能なヒンジ（２０、２２）が上下方向に離間して複数配置され、該ヒンジ（２０、２２）の前後に化粧被覆材（３８）を配置することによってアコーディオンドア本体（１４）が形成され、アコーディオンドア本体（１４）が開閉自在となったアコーディオンドアにおいて、
前後の化粧被覆材（３８）の中間部または下部の裏面同士が、ヒンジを介さずに連結具（５８、５９）により互いに着脱可能に連結されることを特徴とするアコーディオンドア。
【請求項５】
前記化粧被覆材（３８）は洗濯可能な素材でなることを特徴とする請求項１ないし４のいずれか１項に記載のアコーディオンドア。
【発明の詳細な説明】
【技術分野】
【０００１】
本発明は、アコーディオンドアに関し、その化粧被覆材を簡単に取り付けることができるアコーディオンドアに関する。
【背景技術】
【０００２】
従来、この種のアコーディオンドアとしては、特許文献１に、ヒンジである伸縮枠を上下に間隔を隔てて配置し、上下の伸縮枠の外側の枢軸部に垂直線材を通して上下の伸縮枠を連結して枠体を構成して、その枠体の上に化粧被覆材である表面シート材を張設したものにおいて、垂直線材の上下端に鈎部材を取り付け、表面シート材の裏面にスピンドルテープを設け、スピンドルテープを上下の鈎部材に引っ掛けることによって、上下に緊張した状態で表面シート材を伸縮枠体上に支持するようにしたことが記載されている。そして、この特許文献１には、表面シート材の裏面に設けたスピンドルテープを鈎部材に対して係止させるときに、上端の鈎部材を引っ掛けたのち、下端の鈎部材をコイルスプリングの弾性を利用して係止させることによって、素人でもアコーディオンドアの組立をすることができる旨、記載されている。
【特許文献１】実公昭５９−１５５９９号公報
【発明の開示】
【発明が解決しようとする課題】
【０００３】
しかしながら、かかる特許文献１に記載されたアコーディオンドアでは、コイルスプリングが垂直線材に巻回されており、その組立作業を行う際に、下側の鈎部材をコイルスプリングのスプリング力に抗して片方の手で垂直線材に沿って真上に持ち上げながら、その状態でもう一方の手で表面シート材を垂直線材の方へと接近させて、鈎部材を表面シート材のスピンドルテープに係止させるようにしなければならないため、非常に作業が煩わしいという問題がある。
【０００４】
本発明はかかる課題に鑑みなされたもので、簡単に化粧被覆材を取り付けることができるアコーディオンドアを提供することをその目的とする。
【課題を解決するための手段】
【０００５】
前述した目的を達成するために、請求項１記載の発明は、伸縮可能なヒンジが上下方向に離間して複数配置され、該ヒンジの前後に化粧被覆材を配置することによってアコーディオンドア本体が形成され、アコーディオンドア本体が開閉自在となったアコーディオンドアにおいて、
化粧被覆材の裏面には上下方向に離間して複数のテープ部材が設けられ、最上段のヒンジには上段フックが設けられ、最下段のヒンジには弾性部材の一端が回動可能に枢着され、該弾性部材の自由他端に下段フックが取り付けられており、上段フック及び下段フックは、それぞれ対応するテープ部材に着脱可能に係止可能であることを特徴とする。
【０００６】
このアコーディオンドアにおいて、化粧被覆材をヒンジに取り付けるときには、最初に最上段のヒンジに設けられた上段フックを、化粧被覆材に設けられたテープ部材に係止し、その後、最下段のヒンジに弾性部材を介して取り付けられた下段フックを、化粧被覆材に設けられたテープ部材に係止する。このとき、弾性部材は、最下段のヒンジに対して回動可能に枢着されており、自由他端は自由になっているために、下段フックは、最下段のヒンジに対してその方向及び長さにおいて自由度を有している。そのために、化粧被覆材をヒンジに強制的に接近させなくとも、下段フックを化粧被覆材に容易に接近させてそのテープ部材に係止することができる。下段フックをテープ部材に係止した後は、弾性部材がその復元力でもとの長さに戻るために、化粧被覆材が自動的にヒンジに接近して、しわなく、きれいに且つ簡単に化粧被覆材をヒンジに取り付けることができる。
【０００７】
請求項２記載の発明は、伸縮可能なヒンジが上下方向に離間して複数配置され、該ヒンジの前後に化粧被覆材を配置することによってアコーディオンドア本体が形成され、アコーディオンドア本体が開閉自在となったアコーディオンドアにおいて、
化粧被覆材の裏面には上下方向に離間して少なくとも３段のテープ部材が設けられ、最上段または最下段のヒンジにはフックが設けられて、それぞれ対応するテープ部材に着脱可能に係止可能であると共に、前後の化粧被覆材の上下方向中間にあるテープ部材同士は、ヒンジを介さずにフックにより互いに着脱可能に連結されることを特徴とする。
【０００８】
このアコーディオンドアにおいて、化粧被覆材をヒンジに取り付けるときには、最上段または最下段のヒンジに設けられたフックを、対応するテープ部材に係止すると共に、上下方向中間にあるテープ部材同士は、ヒンジを介さずにフックにより互いに連結する。化粧被覆材同士は自由度があるために、その連結作業が容易になる。こうして連結した後は、開閉時の化粧被覆材の中間部分の膨らみを防止することができる。中間のテープ部材はヒンジと連結する必要がないために、中間のテープ部材とヒンジとの位置合わせが不要となり、前後の化粧被覆材の中間のテープ部材同士の取付位置合わせを行えば良く、製造が容易になる。
【０００９】
請求項３記載の発明は、伸縮可能なヒンジが上下方向に離間して複数配置され、該ヒンジの前後に化粧被覆材を配置することによってアコーディオンドア本体が形成され、アコーディオンドア本体が開閉自在となったアコーディオンドアにおいて、
前後の化粧被覆材の裏面には上下方向に離間して複数段のテープ部材がそれぞれ対向して設けられ、該上下方向に離間した複数段のテープ部材のうち、少なくとも１つの段の対向するテープ部材同士が、ヒンジを介さずに連結具により互いに着脱可能に連結されることを特徴とする。
【００１０】
前後の化粧被覆材の複数段のテープ部材のうちの少なくとも１つの段のテープ部材同士が、ヒンジを介さずに連結具により互いに連結され、その際に、化粧被覆材同士は自由度があるために、その連結作業が容易になる。連結した後は、前後の化粧被覆材同士が連結されて互いを拘束するために、シワや膨らみの発生を防止することができる。その段のテープ部材はヒンジと連結する必要がないために、テープ部材とヒンジとの位置合わせが不要となり、前後の化粧被覆材のテープ部材同士の取付位置合わせを行えば良く、製造が容易になる。
【００１１】
請求項４記載の発明は、伸縮可能なヒンジが上下方向に離間して複数配置され、該ヒンジの前後に化粧被覆材を配置することによってアコーディオンドア本体が形成され、アコーディオンドア本体が開閉自在となったアコーディオンドアにおいて、
前後の化粧被覆材の中間部または下部の裏面同士が、ヒンジを介さずに連結具により互いに着脱可能に連結されることを特徴とする。
【００１２】
前後の化粧被覆材の中間部または下部の裏面同士がヒンジを介さずに連結具により互いに連結され、その際に、化粧被覆材同士は自由度があるために、その連結作業が容易になる。連結した後は、前後の化粧被覆材同士が連結されて互いを拘束するために、シワや膨らみの発生を防止することができる。
【００１３】
請求項５記載の発明は、請求項１ないし４のいずれか１項に記載の前記化粧被覆材が洗濯可能な素材でなることを特徴とする。
【発明の効果】
【００１４】
本発明によれば、化粧被覆材を簡単に取り付けることができる。
【００１５】
請求項１記載の発明によれば、最下段のヒンジに下段フックが弾性部材によって取り付けられており、弾性部材の一端が回動可能にヒンジに枢着されているために、下段フックが最下段のヒンジに対してその方向及び長さにおいて自由度を有しており、ヒンジに無理やり化粧被覆材を接近させなくとも、下段フックが化粧被覆材に対して容易に接近してそのテープ部材に係止することができ、簡単に化粧被覆材の取付作業を行うことができる。
【００１６】
請求項２記載の発明によれば、前後の化粧被覆材の最上段及び最下段の以外の中間のテープ部材同士が、ヒンジを介さずにフックにより着脱可能に連結されるために、該テープ部材をヒンジに連結しなくてよく、簡単に化粧被覆材の取付作業を行うことができる。
【００１７】
請求項３記載の発明によれば、上下方向に離間した複数のテープ部材のうち、少なくとも１つの対向するテープ部材同士が、ヒンジを介さずに連結具により着脱可能に連結されるために、該テープ部材をヒンジに連結しなくてよく、簡単に化粧被覆材の取付作業を行うことができる。
【００１８】
請求項４記載の発明によれば、前後の化粧被覆材の中間部または下部の裏面同士が、ヒンジを介さずに連結具により互いに着脱可能に連結されるために、ヒンジと化粧被覆材との連結作業を上部だけとして少なくすることができて、簡単に化粧被覆材の取付作業を行うことができる。
【００１９】
請求項５記載の発明によれば、化粧被覆材の取付が簡単にできるようになるので、化粧被覆材を洗濯可能な素材とすることによって、化粧被覆材の洗濯をユーザが手軽に行うことができるようになる。
【発明を実施するための最良の形態】
【００２０】
以下、図面を用いて本発明の実施の形態を説明する。図１から図６は本発明のアコーディオンドアの実施形態を表す図である。
【００２１】
図において、１０はレールであり、レール１０を走行可能となった複数のランナー１２によって、アコーディオンドア本体１４が吊下げ支持されている。アコーディオンドア本体１４は、左右方向両端部に設けられたフレーム１６、１８と、フレーム１６、１８の間に渡り伸縮可能な複数のヒンジ２０、２１、２２と、ヒンジ２０、２１、２２に連結されてヒンジ２０、２１、２２の前後に配置される化粧被覆材３８とから形成される。化粧被覆材３８は、公知のアコーディオンドアと同様に、布、プラスチックシート、レザー等からなる構成とすることができるが、この化粧被覆材３８は、洗濯可能な素材からなるものとすることができ、例えば、布製とすることができる。
【００２２】
ヒンジ２０、２１、２２は、互いに上下方向に適当な間隔で配置される。ヒンジの数は任意とすることができ、この例では３個となっているが、少なくとも２つのヒンジが上下方向に適当な間隔で配置されるとよい。最上方に配置される上段ヒンジ２０の一部詳細図を図２に示す。図に示したように、ヒンジ２０は、一対のほぼ同一長さのヒンジ片２４、２５を互いの中央部で枢軸２６により枢着連結してＸ字状に連結してヒンジ要素２８を形成し、さらに、隣り合うヒンジ要素２８を構成するヒンジ片２４、２５の端部同士を枢軸３０により枢着連結して、複数のヒンジ要素２８を次々と連結していくことによって形成されている。従って、上段ヒンジ２０は、対向する枢軸２６、２６（枢着連結点）及び対向する枢軸３０、３０（枢着連結点）を４頂点とし、あるヒンジ要素２８を構成するヒン
ジ片２４、２５のそれぞれ半分と、その隣りのヒンジ要素２８を構成するヒンジ片２５、２４のそれぞれ半分とを４辺とする菱形形状をなした菱形形状部３２が複数連結されたものからなる。この菱形形状部３２の内角が変化して菱形形状部３２が変形することにより、上段ヒンジ２０が伸縮するようになっている。上段ヒンジ２０以外の中段ヒンジ２１及び下段ヒンジ２２も同様に構成され、各ヒンジ２０、２１、２２のそれぞれ上下方向に対応するヒンジ要素２８の各枢軸３０は、枢軸３０内を貫通する線材３６によって互いに連結されており、各ヒンジ２０、２１、２２の各ヒンジ要素２８は、同調して伸縮するように形成される。また、各ヒンジ２０、２１、２２の両端は、２つのフレーム１６、１８にそれぞれ連結される。
【００２３】
上段ヒンジ２０の枢軸２６の上側には、枢軸２６に対して回転可能に取付板５０が設けられる。取付板５０の両端には、上段フック５０ａ、５０ａが形成されている。上段フック５０ａ、５０ａは上向きとなっており、その端部は、取付板５０よりも上側となっている。また、所定の取付板５０には枢軸２６を貫通した軸を有するランナー１２が取り付けられる。
【００２４】
下段ヒンジ２２の枢軸２６の下側には、枢軸２６に対して回転可能に取付板５２が取り付けられる。取付板５２の両端には、それぞれ弾性部材であるバネ５４の一端が引っ掛けられる。これにより、バネ５４は、取付板５２に対して回動可能に枢着される。そして、バネ５４の自由端部には、下向きの下段フック５６が取り付けられる。こうして、下段フック５６はバネ５４を介してヒンジ２２に取り付けられ、ヒンジ２２に対してその方向及び長さにおいて自由度を有している。
【００２５】
前側及び後側のそれぞれの化粧被覆材３８の裏面には、図１及び図３に示したように、上段ヒンジ２０と下段ヒンジ２２の高さ位置に対応して、化粧被覆材３８の幅方向に伸びる上段テープ部材４０と下段テープ部材４２とが設けられる。また、化粧被覆材３８の高さ寸法によって、上段テープ部材４０と下段テープ部材４２との中間に中段テープ部材４１が設けられる。各テープ部材４０、４１、４２は、化粧被覆材３８の裏面に幅方向に縫製された基材４４の上に縫着されており、その縫着部位は、テープ部材の長手方向所定間隔毎となっている（図４ないし図６参照）。上段テープ部材４０の任意の隣接する縫着部位間に、前記上段フック５０ａが着脱可能に係止され、下段テープ部材４２の任意の隣接する縫着部位間に、前記下段フック５６が着脱可能に係止される。
【００２６】
また、中段テープ部材４１には、中段フック５８の一端が着脱可能に係止される。中段フック５８の他端は、他方の化粧被覆材３８の中段テープ部材４１に着脱可能に直接係止される。
【００２７】
また、化粧被覆材３８の両端には、面ファスナ４６が縫製されており、これらの面ファスナ４６は、フレーム１６、１８に固定されたブラケット１９に取り付けられた面ファスナ４８に着脱可能に接合される（図２参照）。但し、フレーム１６、１８と化粧被覆材３８との結合は、面ファスナ４６、４８に限らず、スナップ嵌合結合等の任意の着脱可能な結合手段とすることができる。
【００２８】
以上のように構成されるアコーディオンドアにおいて、化粧被覆材３８は、フレーム１６、１８、ヒンジ２０、２１、２２及び線材３６によって構成される骨組に対して着脱可能となっており、従って、ユーザが化粧被覆材３８を取り外して洗濯した後、再び取り付けることができ、または、アコーディオンドアをユーザが設定するときにも、骨組を組み立てた後、ユーザ自身が簡単に化粧被覆材３８を取り付けることができる。化粧被覆材３８を骨組に取り付けるには、次のように行う。
【００２９】
まず、骨組を構成する上段ヒンジ２０に設けられた各上段フック５０ａに、順次、化粧被覆材３８の上段テープ部材４０を引っ掛け、化粧被覆材３８を骨組に吊した状態とする。
【００３０】
次に、前側及び後側の化粧被覆材３８、３８のそれぞれの中段テープ部材４１、４１同士を中段フック５８で連結する。
【００３１】
そして、下段ヒンジ２２にバネ５４を介して取り付けられた下段フック５６に、化粧被覆材３８の対応する下段テープ部材４２を引っ掛ける。この作業の際に、下段テープ部材４２と下段ヒンジ２２とは、前後、幅、高さ方向においてずれている可能性があり、そのずれの方向及び長さは不定である。しかしながら、バネ５４がヒンジ２２に対して回動可能となっており、且つ伸縮可能であるために、ある程度の範囲の方向・長さのずれであれば、下段フック５６を下段テープ部材４２の所まで動かして、引っ掛けることができる。下段フック５６を下段テープ部材４２に引っ掛けた後は、バネ５４の復元力を利用して、化粧被覆材３８の下側を下段ヒンジ２２に沿って接近させることができ、化粧被覆材３８をしわ無く取り付けることができる。
【００３２】
最後に、骨組を構成するフレーム１６、１８に固定された面ファスナ４６に、化粧被覆材３８の対応する面ファスナ４８を接合する。
【００３３】
こうして、化粧被覆材３８を骨組に取り付けることができ、アコーディオン本体１４が完成する。化粧被覆材３８を骨組から取り外す場合には、上述と反対の手順にて行うことができる。
【００３４】
この実施形態によるアコーディオンドアによれば、下段フック５６を３次元的に自由に動かしながら、化粧被覆材３８の下段テープ部材４２に引っ掛けることができるので、片手であっても容易に作業をすることができる。
【００３５】
また、化粧被覆材３８の中間部分においては、ヒンジを介さずに、直接前側と後側の化粧被覆材３８、３８の中段テープ部材４１、４１同士を中段フック５８を用いて連結するために、中段テープ部材をヒンジと連結する場合と比較して、化粧被覆材３８同士は自由度があるために、その連結作業が容易になる。こうして連結した後は、開閉時の化粧被覆材３８の中間部分の膨らみを防止することができる。また、中段テープ部材４１は中段ヒンジ２１と連結する必要はないために、中段テープ部材４１と中段ヒンジ２１との位置合わせが不要となり、前後の化粧被覆材３８、３８の中段テープ部材４１、４１同士の取付位置合わせを行えば良く、製造が容易になる。
【００３６】
図7及び図８は、本発明の他の実施形態を表す図である。図において、前実施形態と同一の部材は同一の符号を付し、その詳細説明を省略する。
【００３７】
この実施形態では、前側及び後側のそれぞれの化粧被覆材３８、３８の中段テープ部材４１、４１同士が連結具である中段フック５８を用いてヒンジを介さずに連結されると共に、下段テープ部材４２、４２同士も、連結具である下段フック５９を用いてヒンジを介さずに連結される。下段フック５９は、中段フック５８と同じように構成される。
【００３８】
化粧被覆材３８は、その上部において、その上段テープ部材４０を上段ヒンジ２０に設けられた上段フック５０ａに引っ掛けているが、中間部及び下部においては、ヒンジを介さずに前後の化粧被覆材３８同士が連結されているだけである。しかしながら、前後の化粧被覆材３８同士が下段フック５９及び中段フック５８によって連結されて拘束されることで、化粧被覆材３８は、中段ヒンジ２１及び下段ヒンジ２２に近接して配置され、しわ無くきれいに骨組に取り付けられる。
【００３９】
この実施形態では、下段テープ部材４２及び中段テープ部材４１を下段ヒンジ２２及び中段ヒンジ２１に連結する必要はないため、下段テープ部材４２と下段ヒンジ２２及び中段テープ部材４１と中段ヒンジ２１の位置合わせが不要となり、前後の化粧被覆材３８、３８の中段テープ部材４１、４１同士、下段テープ部材４２、４２同士の取付位置合わせを行えば良く、製造が容易になる。また、化粧被覆材３８の取付も一層簡単に行うことができるようになる。
【００４０】
また、この例では、前後の化粧被覆材３８、３８の裏面にある下段テープ部材４２、４２同士、中段テープ部材４１、４１同士を下段フック５９、中段フック５８を用いて連結することとしたが、これに限るものではなく、例えば、化粧被覆材３８、３８の裏面にリングなどの被係止部を設けて、該被係止部同士を下段フック５９、中段フック５８等の連結具を用いて連結することも可能である。
【図面の簡単な説明】
【００４１】
【図１】本発明の実施形態によるアコーディオンドアの正面図である。
【図２】本発明の実施形態によるアコーディオンドア本体の部分平面図である。
【図３】図１の３−３線に沿って見たアコーディオンドアの内部図である。
【図４】本発明の実施形態によるアコーディオンドアのアコーディオンドア本体の上段ヒンジ付近の斜視図である。
【図５】本発明の実施形態によるアコーディオンドアのアコーディオンドア本体の中段ヒンジ付近の斜視図である。
【図６】本発明の実施形態によるアコーディオンドアのアコーディオンドア本体の下段ヒンジ付近の斜視図である。
【図７】本発明の他の実施形態によるアコーディオンドアの正面図である。
【図８】図７の８−８線に沿って見たアコーディオンドアの内部図である。
【符号の説明】
【００４２】
１４  アコーディオンドア本体
２０  上段ヒンジ（最上段のヒンジ）
２１  中段ヒンジ
２２  下段ヒンジ（最下段のヒンジ）
３８  化粧被覆材
４０  上段テープ部材
４１  中段テープ部材
４２  下段テープ部材
５０ａ  上段フック
５４  バネ（弾性部材）
５６  下段フック
５８  中段フック（連結具）
５９  下段フック（連結具）
【図１】
2004278291.tif 000003
【図２】
2004278291.tif 000004
【図３】
2004278291.tif 000005
【図４】
2004278291.tif 000006
【図５】
2004278291.tif 000007
【図６】
2004278291.tif 000008
【図７】
2004278291.tif 000009
【図８】
2004278291.tif 000010